(57)【要約】【課題】  簡易な構成をもって、ドア開放時の奥行き開放寸法を大きくするようにした食器洗浄機を提供する。【解決手段】  この食器洗浄機１においては、天板３１における背面２２側に軸受部３２が固定され、この軸受部３２に対して回動自在に取り付けられた回動軸３３に固定された連結部３４の上端が、洗浄機本体Ｂの背面２２よりも後方に突出する。この連結部３４の上端にアーム部３６の基端部が固定されるので、アーム部３６の基端は、洗浄機本体Ｂの背面２２よりも後方に位置することになり、ドアＤと洗浄機本体Ｂとの連結に利用されるガイドレール部２０，２１を、洗浄機本体Ｂの背面２２に可能な限り近づけても、ドアＤの開閉時にアーム部３６がドアＤに衝突することがない。【選択図】  図３
2005237700.tif 000002
【特許請求の範囲】
【請求項１】
ドアと洗浄機本体とをガイドレール部を介して連結し、前記ドアを上下動させることにより、前記洗浄機本体側に設けられた洗浄室の開閉を行う食器洗浄機において、
前記洗浄機本体に設けられた天板における背面側で固定された軸受部と、
前記軸受部に対して回動自在に取り付けられた回動軸と、
前記回動軸に下端が固定されると共に、前記洗浄機本体の背面よりも後方に上端が突出した連結部と、
前記連結部の上端に基端部が固定されると共に、前記ドアの側壁面に沿って延在するアーム部と、
前記アーム部の先端部と前記ドアの側壁とを連結するリンク部とを備えたことを特徴とする食器洗浄機。
【発明の詳細な説明】
【技術分野】
【０００１】
本発明は、ドアを上下させることで、洗浄機本体側の洗浄室の開閉が行われるいわゆるドアタイプの食器洗浄機に関するものである。
【背景技術】
【０００２】
従来、このような分野の技術として、特開平９−２３８８８３号公報がある。この公報に記載された食器洗浄機では、アーム手段の回転軸が、天井部に水平に取り付けられたＵ字軸として形成され、このＵ字軸の両端は、ドアの開閉時にドアと接触しないような位置まで後退させられている。これによって、支持フレーム（ガイドレール）を食器洗浄機の背面に近づけることができ、その結果として、食器洗浄機の奥行き方向において、ドア開放時の奥行き開放寸法を大きくすることができる。
【０００３】
【特許文献１】特開平９−２３８８８３号公報
【発明の開示】
【発明が解決しようとする課題】
【０００４】
しかしながら、前述した従来の食器洗浄機では、支持フレーム（ガイドレール）の取付け場所に配慮して、アーム手段の回転軸を、Ｕ字に曲げるような特殊な形状に加工する必要があるので、ドア開放時の奥行き開放寸法を大きくすることはできるが、特殊な回転軸を必要とし、構造の複雑化を招来するものである。
【０００５】
本発明は、特に、簡易な構成をもって、ドア開放時の奥行き開放寸法を大きくするようにした食器洗浄機を提供することを目的とする。
【課題を解決するための手段】
【０００６】
本発明に係る食器洗浄機は、ドアと洗浄機本体とをガイドレール部を介して連結し、ドアを上下動させることにより、洗浄機本体側に設けられた洗浄室の開閉を行う食器洗浄機において、洗浄機本体に設けられた天板における背面側で固定された軸受部と、軸受部に対して回動自在に取り付けられた回動軸と、回動軸に下端が固定されると共に、洗浄機本体の背面よりも後方に上端が突出した連結部と、連結部の上端に基端部が固定されると共に、ドアの側壁面に沿って延在するアーム部と、アーム部の先端部とドアの側壁とを連結するリンク部とを備えたことを特徴とする。
【０００７】
この食器洗浄機においては、洗浄機本体の天板における背面側に軸受部が固定され、この軸受部に対して回動自在に取り付けられた回動軸に固定された連結部の上端が、洗浄機本体の背面よりも後方に突出する。そして、この連結部の上端にアーム部の基端部が固定されるので、アーム部の基端は、洗浄機本体の背面よりも後方に位置することになり、ドアと洗浄機本体との連結に利用されるガイドレール部を、洗浄機本体の背面に可能な限り近づけても、ドアの開閉時にアーム部がドアに衝突することがない。これにより、簡易な構造をもって、ドア開放時の奥行き開放寸法を大きくすることができる。また、連結部の長さを変えるだけで、連結部の上端の位置を容易に変更することができる。
【発明の効果】
【０００８】
本発明によれば、簡易な構成をもって、ドア開放時の奥行き開放寸法を大きくすることができる。
【発明を実施するための最良の形態】
【０００９】
以下、図面を参照しつつ本発明に係る食器洗浄機の好適な実施形態について詳細に説明する。
【００１０】
［第1の実施形態］
図１に示すように、食器洗浄機１は、ステンレス製の筐体２を有する洗浄機本体Ｂと、この洗浄機本体Ｂに設けられた洗浄室Ｓの開閉を行うドアＤとから主として構成されている。この食器洗浄機１は、いわゆるドアタイプと呼ばれるものであり、ドアＤを鉛直方向に上下動させることで洗浄室Ｓの開閉を行うものである。
【００１１】
この洗浄機本体Ｂにおいて、筐体２は上下に仕切られており、この筐体２の下部２ａには機械室３が設けられ、上部２ｂには洗浄室Ｓが設けられている。そして、機械室３内には、洗浄用循環ポンプ、すすぎ用循環ポンプ及び電装部品等を収容した電装箱などが収容されている。これに対し、洗浄室Ｓの上部には、フリー回転自在で３本のＹ字状アームからなる上側洗浄ノズル１０と、フリー回転自在で一直線状に延びる上側すすぎノズル１１とが配置されている。同様に、洗浄室Ｓの下部にも、フリー回転自在で３本のＹ字状アームからなる下側洗浄ノズル１２と、フリー回転自在で一直線状に延びる下側すすぎノズル１３とが配置されている。このような上下２段のノズル構成によって、洗浄効率やすすぎ効率を高めている。
【００１２】
また、上側すすぎノズル１１と下側すすぎノズル１３との間に出現する洗浄室Ｓ内において、下側すすぎノズル１３の上方には、食器ラック(図示せず)を載置させるための金属製ラックレール(図示せず)が着脱自在に配置されている。さらに、洗浄室Ｓの底面には、網目をもったフィルタが配置され、このフィルタの下方には、洗浄水やすすぎ水を貯めておくための洗浄水タンクが配置されている。
【００１３】
次に、前述した食器洗浄機１の動作について簡単に説明する。なお、洗浄運転時においては、前回のすすぎの際に洗浄水タンク内に溜められている６０°Ｃ程度の洗浄水が利用される。そこで、洗浄ボタンをＯＮすると、洗浄用の循環ポンプによって洗浄水が上側及び下側洗浄ノズル１０，１２から噴射を開始する。このとき、各洗浄ノズル１０，１２は、噴射力の反力によって常に回転し続け、このような回転によって洗浄水が満遍なく食器に当たり続けるので、食器から汚損物が効率良く洗い落とされる。そして、洗浄工程を所定時間行った後、すすぎ工程に移行する。
【００１４】
すすぎ運転時においては、所定容量をもったすすぎ水タンク(図示せず)内に溜められている８０°Ｃの新鮮な温水が利用される。そこで、すすぎ工程に移行した際、すすぎ用の循環ポンプの駆動により、新鮮なすすぎ水が上側及び下側すすぎノズル１１，１３から噴射すると、各すすぎノズル１１，１３は、噴射力の反力によって常に回転し続け、このような回転により、すすぎ水が満遍なく食器に当たり続け、食器を効率良くすすぎ続ける。なお、すすぎ時に洗浄水タンク２１内に溜められる温水は、水の利用効率を上げるため洗浄水として利用される。
【００１５】
さらに、前述した食器洗浄機１は、コーナ設置タイプであり、断面Ｌ字状のドアＤを鉛直方向に上下動させることで洗浄室Ｓの開閉を行うことができるタイプである。ステンレス製のこのドアＤは、矩形の前面パネル（前壁）Ｐ１と矩形の側面パネル（側壁）Ｐ２とからなる。このような二方開放型ドアＤをもった食器洗浄機１は、厨房のコーナ壁面に対するドアＤの開放がなされないので、洗浄室Ｓから飛散する蒸気や洗浄水の影響によって壁面が劣化することがない。しかも、ドアＤの軽量化が適切に図られるので、利用者の作業負担が軽くなり、ドアＤの上げ下げをスムーズに行うことができる。また、ドアＤの軽量化によって、ドアＤの付属部品の耐久性が更に向上することになる。
【００１６】
また、洗浄機本体Ｂの上部には、上側洗浄ノズル１０及び上側すすぎノズル１１を収容するためにキャップ状に形成されたステンレス製のトップドーム８が溶接等で接合されている。このように、トップドーム８を洗浄機本体Ｂ側に設けることで、ドアＤの更なる軽量化を可能にしている。このようなＬ型ドアＤと洗浄機本体Ｂとは二カ所で連結され、各連結部分には、ドアＤが軽量であるゆえに、次のような簡易型のガイド手段Ｇの採用が可能になる。
【００１７】
図１及び図２に示すように、このガイド手段Ｇは、筐体２の下部２ａから立設させるように、上下方向に延在する断面コ字状の本体側ガイドレール部２０を有し、このガイドレール部２０は、洗浄機本体Ｂにおいて対角の位置に配置されると共に、ドアＤの支柱として利用される。これに対し、ステンレス製のドアＤの両端部には、上下方向に延在してドアＤの昇降に追従して昇降する断面コ字状のドア側ガイドレール部２１，２１が溶接等で固定されている。そして、本体側のガイドレール部２０とドア側のガイドレール部２１とは入れ子状態で、対面するように組み合わされている。
【００１８】
さらに、ドアＤの端部に位置するドア側ガイドレール部２１の下端には、本体側のガイドレール部２０により画成された空間内に挿入されるドア側ガイドローラ２４が軸部を介して取り付けられている。このガイドローラ２４は、ドア側ガイドレール部２１と一緒に昇降すると共に、本体側ガイドレール部２０の側壁面に沿って転動しながら昇降する。これに対し、本体側ガイドレール部２０の上端には、ドア側ガイドレール部２１により画成された空間内に挿入される本体側ガイドローラ２６が軸部を介して取り付けられている。この本体側ガイドローラ２６とドア側ガイドローラ２４は、上下方向において直線上に整列させているので、本体側ガイドローラ２６は、ドア側ガイドレール部２１が昇降する際の案内の役目を果たし、結果的に、ドアＤを安定して真っ直ぐに且つ確実に昇降させることができる。
【００１９】
また、この食器洗浄機１では、食器洗浄機１の奥行き方向において、ドア開放時の奥行き開放寸法を大きくするために、一方のガイド手段Ｇは、洗浄機本体Ｂの背面パネルＰ３の背面２２に可能な限り近づけられている。これにより、食器ラックの大型化を可能にし、食器類の収納数を増やすことができる。
【００２０】
次に、このような食器洗浄機１に適する簡易な構造のドア開閉機構３０について説明する。図２及び図３に示すように、ドア開閉機構３０において、洗浄機本体Ｂの上部に設けられたトップドーム８の天板３１には、背面２２側において左右一対の軸受部３２，３２がボルトによって固定されている。軸受部３２に設けられた筒部３２ａ内には、水平に延在する回動軸３３が挿入され、回動軸３３は、左右一対の軸受部３２，３２で回動自在に支持されている。この回動軸３３には、左右一対からなる細長い板状の連結部３４，３４の下端が固定され、各連結部３４は斜め上方に向けて延在し、連結部３４の上端は、洗浄機本体Ｂの背面２２よりも後方に突出する。なお、また、連結部３４の長さを変えることで、連結部３４の上端が背面２２から突出する長さを容易に変更できることは言うまでもない。
【００２１】
さらに、各連結部３４の上端には、Ｌ字状のアーム部３６の基端部が固定されている。このアーム部３６は、背面２２の後方で水平方向に延在する第１の部分３６ａと、ドアＤの側面パネルＰ２の側壁面３７に沿って延在する第２の部分３６ｂとからなる。そして、第２の部分３６ｂの先端部とドアＤの側面パネル（側壁）Ｐ２とはリンク部３８を介して連結され、リンク部３８の上端は、アーム部３６の第２の部分３６ｂの下端に回動自在に取り付けられ、リンク部３８の下端は、側面パネルＰ２に回動自在に取り付けられている。
【００２２】
また、ドアＤの持ち上げ力を補助するために採用されたバネ手段４０は、洗浄機本体Ｂの背面２２に沿って略鉛直方向に延在する引っ張り螺旋バネからなる。この引張りバネ４０の上端は、吊り金具４１を介してアーム部３６の第１の部分３６ａに固定され、引張りバネ４０の下端に固定された取付け金具４２は、背面２２から突出するブラケット４３にボルト４４を介して取り付けられている。このボルト４４は、取付け金具４２の底板に螺着されているので、ボルト４４を所望の方向に回すことで、取付け金具４２を上下方向に移動させることができ、これによって、引張りバネ４０のバネ力を任意に調整することができる。
【００２３】
そこで、ドアＤの下端に固定されたハンドル４６を手で握ってドアＤを持ち上げる場合(ドアＤを開く場合)には、引張りバネ４０のバネ力により、ドアＤを軽く持ち上げることができる。このとき、ドア側ガイドレール部２１が通過する分だけ、アーム部３６の第１の部分３６ａを後方にオフセットさせているので、ドアＤがアーム部３６に衝突することがなく、ドアＤをスムーズに持ち上げることができる。また、ドアＤを降ろす場合(ドアＤを閉じる場合)には、ドアＤの自重により、ドアＤを素早く閉めることができる。
【００２４】
［第２の実施形態］
第２の実施形態において、第１の実施形態と同一又は同等な構成部分には、同一符号を付して、その説明は省略する。
【００２５】
図４及び図５に示すように、食器洗浄機５１に設けられたドア開閉機構５０において、洗浄機本体Ｂの上部に設けられたトップドーム８の天板３１には、背面２２側において左右一対の軸受部５２，５２がボルトによって固定されている。各軸受部５２には、水平に延在する回動軸５３が回転自在に装着され、この回動軸５３には、左右一対からなる細長い板状の連結部５４，５４の下端が固定され、各連結部５４は斜め上方に向けて延在し、連結部５４の上端は、洗浄機本体Ｂの背面２２よりも後方に突出する。
【００２６】
さらに、回動軸５３の一端にはアーム部５６の基端部が固定されている。このアーム部５６は、ガイド手段Ｇを避けるようにＬ字状に曲げられた第１の部分５６ａと、ドアＤの側面パネルＰ２の側壁面３７に沿って延在する第２の部分５６ｂとからなる。そして、第２の部分５６ｂの先端部とドアＤの側面パネル（側壁）Ｐ２とはリンク部５８を介して連結され、リンク部５８の上端は、アーム部５６の第２の部分５６ｂの下端に回動自在に取り付けられ、リンク部５８の下端は、側面パネルＰ２に回動自在に取り付けられている。
【００２７】
また、ドアＤの持ち上げ力を補助するために採用されたバネ手段６０は、洗浄機本体Ｂの背面２２に沿って略鉛直方向に延在する引っ張り螺旋バネからなる。この引張りバネ６０の上端は、左右の連結部５４，５４の上端に固定された架け渡し棒６１に対して吊り金具６２を介して固定され、引張りバネ６０の下端に固定された取付け金具（図示せず）は、背面２２から突出するブラケット６３にボルトを介して取り付けられている。このボルトは、取付け金具の底板に螺着されているので、ボルトを所望の方向に回すことで、取付け金具を上下方向に移動させることができ、これによって、引張りバネ６０のバネ力を任意に調整することができる。
【００２８】
そこで、ドアＤの下端に固定されたハンドル４６を手で握ってドアＤを持ち上げる場合(ドアＤを開く場合)には、引張りバネ４０のバネ力により、ドアＤを軽く持ち上げることができる。このとき、ドア側ガイドレール部２１が通過する分だけ、アーム部５６の第１の部分５６ａを後方にオフセットさせているので、ドアＤがアーム部５６に衝突することがなく、ドアＤをスムーズに持ち上げることができる。また、ドアＤを降ろす場合(ドアＤを閉じる場合)には、ドアＤの自重により、ドアＤを素早く閉めることができる。
【００２９】
本発明は、前述した実施形態に限定されるものではない。例えば、天板の背面側中央に軸受部を固定して、ドア開閉機構を左右対称に構成すれば、断面コ字状のドアの開閉が可能になる。
【図面の簡単な説明】
【００３０】
【図１】本発明に係る食器洗浄機の第１の実施形態を示す斜視図である。
【図２】図１に示した食器洗浄機の要部を示す平面図である。
【図３】図１に示した食器洗浄機の分解斜視図である。
【図４】本発明に係る食器洗浄機の第２の実施形態を示す斜視図である。
【図５】図４に示した食器洗浄機の要部を示す平面図である。
【符号の説明】
【００３１】
１，５１…食器洗浄機、２０，２１…ガイドレール部、２２…背面、３０，５０…ドア開閉機構、３１…天板、３２…軸受部、３３…回動軸、３４…連結部、３６…アーム部、３７…ドアの側壁面、３８…リンク部、Ｂ…洗浄機本体、Ｄ…ドア、Ｓ…洗浄室、Ｐ２…ドアの側面パネル（側壁）。
【図１】
2005237700.tif 000003
【図２】
2005237700.tif 000004
【図３】
2005237700.tif 000005
【図４】
2005237700.tif 000006
【図５】
2005237700.tif 000007